(57)【要約】【課題】  閉鎖時に雨風や光が漏れない無双連子体の提供。【解決手段】  連子子３を間隔をおいて有する固定連子体２と、連子子５を間隔をおいて有し固定連子体の連子子間の隙間を開閉する可動連子体４とを備え、固定連子体２の連子子３は、見込み方向の一方側が開放した溝形であり、可動連子体４の連子子５は、見込み方向の他方側が開放した溝形であり、双方の連子子３，５の見込み面部３ｂ，３ｃ，５ｂ，５ｃが互い違いに重なる位置に配置されている。【選択図】      図１
2011111801.tif 000002
【特許請求の範囲】
【請求項１】
連子子を間隔をおいて有する固定連子体と、連子子を間隔をおいて有し固定連子体の連子子間の隙間を開閉する可動連子体とを備え、固定連子体の連子子は、見込み方向の一方側が開放した溝形であり、可動連子体の連子子は、見込み方向の他方側が開放した溝形であり、双方の連子子の見込み面部が互い違いに重なる位置に配置されていることを特徴とする無双連子体。
【請求項２】
固定連子体と可動連子体の連子子は、可動連子体を閉鎖位置に移動したときに、双方の連子子の見込み面部が互いに組み合う形状としたことを特徴とする請求項１記載の無双連子体。
【発明の詳細な説明】
【技術分野】
【０００１】
本発明は、雨戸等に用いられる無双連子体に関する。
【背景技術】
【０００２】
和風建築の換気窓として、古くから無双連子が知られている。無双連子は、帯板状の連子子をその幅だけ間をあけて配置した連子体二つを前後に並べ、外側の連子体を固定し，内側の連子体を左右に移動可能としたもので、内側の連子体の移動に伴って連子子の隙間が開閉し、採光、通風、眺望に使用できる。このような無双連子では、内側の連子体を閉鎖位置に移動したときでも、前側の連子体の連子子と後側の連子体の連子子との間に僅かな隙間が開き、雨風や光が多少室内に漏れる。
特許文献１には、無双連子を組み込んだ雨戸が記載され、特許文献２には無双連子を組み込んだ手摺が記載されている。これらの無双連子は、大きい板に縦長や横長のスリットを間隔をおいて多数設けて連子状に形成し、そのスリット付きの板２枚を前後に重ねて構成されている。このような無双連子においても、前後に並べた板の間に僅かに隙間があるため、閉鎖時でも雨風や光が漏れる。また、ある程度厚みのある大型の板２枚を重ねて用いることから、重量が重くなる。
【先行技術文献】
【特許文献】
【０００３】
【特許文献１】特開平７−４２４６１号公報
【特許文献２】特開平５−３０２４１９号公報
【発明の概要】
【発明が解決しようとする課題】
【０００４】
本発明は以上に述べた実情に鑑み、閉鎖時に雨風や光が漏れない無双連子体の提供を目的とする。
【課題を解決するための手段】
【０００５】
上記の課題を達成するために請求項１記載の発明による無双連子体は、連子子を間隔をおいて有する固定連子体と、連子子を間隔をおいて有し固定連子体の連子子間の隙間を開閉する可動連子体とを備え、固定連子体の連子子は、見込み方向の一方側が開放した溝形であり、可動連子体の連子子は、見込み方向の他方側が開放した溝形であり、双方の連子子の見込み面部が互い違いに重なる位置に配置されていることを特徴とする。
【０００６】
請求項２記載の発明による無双連子体は、請求項１記載の発明の構成に加え、固定連子体と可動連子体の連子子は、可動連子体を閉鎖位置に移動したときに、双方の連子子の見込み面部が互いに組み合う形状としたことを特徴とする。
【発明の効果】
【０００７】
請求項１記載の発明による無双連子体は、固定連子体の連子子を見込み方向の一方側が開放した溝形とし、可動連子体の連子子を見込み方向の他方側が開放した溝形とし、双方の連子子の見込み面部が互い違いに重なる位置に配置したので、可動連子体を閉鎖位置に移動すると、双方の連子子の見込み面部同士が重なるので、雨風や光が漏れ難い。また、連子子を溝形としたことで、軽量化が図られる。
【０００８】
請求項２記載の発明による無双連子体は、固定連子体と可動連子体の連子子を、可動連子体を閉鎖位置に移動したときに双方の連子子の見込み面部が互いに組み合う形状としたことで、雨風や光の漏れをより確実に防止できると共に、風等による連子子のがたつきを抑制できる。
【図面の簡単な説明】
【０００９】
【図１】（ａ）は図２のＡ部拡大図であり、（ｂ）は図２のＢ部拡大図である。
【図２】雨戸の横断面図であって、（ａ）は可動連子体を閉鎖位置に移動した状態、（ｂ）は可動連子を全開位置に移動した状態を示す。
【図３】雨戸の縦断面図である。
【図４】固定連子体の連子子と補助材を分離した状態で示す斜視図である。
【図５】固定連子体の連子子を固定する手順を示す縦断面図である。
【図６】サッシの縦断面図である。
【図７】サッシの横断面図である。
【図８−１】サッシの室外側正面図であって、（ａ）は雨戸を閉鎖し且つ無双連子を閉じた状態を示し、（ｂ）は雨戸を閉鎖し且つ無双連子を開けた状態を示す。
【図８−２】サッシの室外側正面図であって、（ｃ）は雨戸を開けた状態を示す。
【図９】固定連子体及び可動連子体の連子子の他の実施形態を示す横断面図であって、（ａ）は可動連子体を閉鎖位置に移動した状態、（ｂ）は可動連子体を全開位置に移動した状態を示す。
【図１０】連子体の製作方法の他の例を示す正面図である。
【図１１】図１０の要領で製作した連子体２つを前後に組み合わせて構成した無双連子の横断面図であって、（ａ）は可動連子体を閉鎖位置に移動した状態、（ｂ）は可動連子体を全開位置に移動した状態を示す。
【発明を実施するための形態】
【００１０】
以下、本発明の実施の形態を図面に基づいて説明する。図６〜図８はテラス窓用のサッシを示しており、本サッシはサッシ枠１０内に外障子１１と内障子１２を引き違い開閉自在に備え、その室外側に１枚の網戸１３を備え、さらにその室外側に２枚の雨戸１，１を備えている。サッシ枠１０の室外側から見て左側には、雨戸１，１を収納する戸袋１４を備えている。雨戸１は無双連子を組み込んだものとなっており、図８−１（ｂ）に示すように、無双連子を開けることで雨戸１を開けなくても（戸袋１４に収納しなくても）通風や眺望が得られるようにしている。以下、雨戸１の構造について詳細に説明する。
【００１１】
雨戸１は、図２，３に示すように、上框１５と下框１６と左右の竪框１７ａ，１７ｂとを四周框組みし、上下框１５，１６間に室内側が開放した溝形の連子子３を、連子子３の見付寸法と略同じ間隔をおいて複数架設して固定連子体２が構成されている。また上下框１５，１６間の室内側には、室外側が開放した溝形の連子子５を、連子子５の見付寸法と略同じ間隔をおいて複数配置した可動連子体４が、左右方向に移動可能に設けてある。
【００１２】
固定連子体２の連子子３は、図１に示すように、見付け面部３ａと、見付け面部３ａの両側から室内側に向けてのびる左右の見込み面部３ｂ，３ｃを有し、各見込み面部３ｂ，３ｃは見込み方向の中間部が室内側から見て左側に膨らむように、略く字形に屈曲した断面形状となっている（以後、単に「左側」、「右側」と記載したときには、室内側から見ての左側、右側を意味する。）。右側の見込み面部３ｂと見付け面部３ａとのコーナー部内側には、溝１８が形成されている。
可動連子体４の連子子５は、見付け面部５ａと、見付け面部５ａの両側から室外側に向けてのびる左右の見付け面部５ｂ，５ｃと、見付け面部５ａの右側の端部より室内側に突出して設けた手掛け部５ｄとを有している。左右の見込み面部５ｂ，５ｃは、固定連子体２の連子子３の見込み面部３ｂ，３ｃと同様に、略く字形に屈曲した断面形状となっている。左側の見込み面部５ｃの先端には、係止部１９が右側に突出して設けてある。
固定連子体２の連子子３と可動連子体４の連子子５とは、見付け寸法がほぼ同じになっており、且つ双方の連子子３，５の見込み面部３ｂ，３ｃ，５ｂ，５ｃが互い違いに重なるように配置されている。
【００１３】
上框１５と下框１６は、図３に示すように、内周側に開放した溝部２０ａ，２０ｂを室外側と室内側に隣接して有しており、室外側の溝部２０ａの底部に固定連子体２の連子子３，３，…を上下框１５，１６に固定するための補助材２１が配置されている。固定連子体２の連子子３は、図４に示すように、左右の見込み面部３ｂ，３ｃの上下端部に切欠き２２が設けてあり、補助材２１は室外側に向けて突出した係止片２３を有し、係止片２３に切欠き２４が等間隔で設けてある。各連子子３は、上下端部に設けた切欠き２２を補助材２１の切欠き２４にそれぞれ係止させ、全ての連子子３，３，…を上下の補助材２１により連結した上で、図５（ａ）に示すように、補助材２１及び連子子３，３，…の上下端部を上下框１５，１６の室外側の溝部２０ａに差し入れ、上下框１５，１６と左右の竪框１７ａ，１７ｂとを框組みする。この時点では連子子３，３，…は上下框１５，１６に固定されておらず、がたつきがあるが、その後、図５（ｂ）に示すように、上側の補助材２１に上方より螺合させた固定ネジ２５を締め付けることで同補助材２１を上方に引寄せ、次に図５（ｃ）に示すように、下側の補助材２１に下方より螺合させた固定ネジ２５を締め付けることで同補助材２１が下方に引寄せられ、それに伴い連子子３，３，…は上下方向にテンションが掛かった状態となって上下框１５，１６に固定される。連子子３，３，…を１本ずつ框１５，１６に直接固定する場合には、多くの加工や部品付けが必要になるが、上述のように連子子３，３，…の端部を補助材２１に引っ掛け、補助材２１を上下框１５，１６に固定ビス２５で固定することで、加工や部品付けを極力少なくでき、組立てが簡単になる。
【００１４】
可動連子体４は、図３に示すように、連子子５の見付け面部５ａが上方と下方に突出して設けてあり、所定の間隔で並べた複数の連子子５，５，…の見付け面部５ａの上部と下部を帯板状の連結材２６ａ，２６ｂで室外側と室内側から挟み、リベット２７で固定することにより組み立てられ、上下框１５，１６と左右の竪框１７ａ，１７ｂとを框組みする際に、上下框１５，１６の室内側の溝部２０ｂに上部と下部を挿入して取付けている。下框１６の溝部２０ｂの底部には、可動連子体４の滑りをよくするためにソロバン車２８が設置してある。各連結材２６ａ，２６ｂにはモヘア３７が取付けてあり、モヘア３７により溝部２０ｂの側面との隙間を塞いでいる。
【００１５】
本雨戸は、図６に示すように、上部をサッシ上枠１０ａの室外側に形成された溝部２９に差し入れ、下框１６内部に設けた戸車３０をサッシ下枠１０ｂのレール３１に乗せることで、通常の雨戸と同様にサッシ枠１０に建て込まれる。
【００１６】
本雨戸１は、図１（ａ）に示すように、可動連子体４を右側にスライドさせると、可動連子体４の連子子５の左右の見込み面部５ｂ，５ｃが、固定連子体２の隣接する連子子３の見込み面部３ｃ，３ｂの左側にそれぞれ当接して重なり、雨風や光が室内側に漏れるのを防止する。本雨戸１は、双方の連子子３，５の見込み面部３ｂ，３ｃ，５ｂ，５ｃがそれぞれ略く字形に形成してあり、双方の連子子３，５の見込み面部３ｃと５ｂ、３ｂと５ｃが互いに組み合うことで、雨風や光の漏れをより一層確実に防止できると共に、風等による連子子３，５のがたつきを抑制し、耐風強度が高められる。さらに本雨戸１は、可動連子体４の連子子５に設けた係止部１９が固定連子体２の連子子３の溝１８に係止することで、連子子３，５のがたつきを抑える効果を一層高めている。
図１（ｂ）に示すように、可動連子体４を左側にスライドさせると、可動連子体４の連子子５の見込み面部５ｂ，５ｃが固定連子体２の連子子３の見込み面部３ｂ，３ｃの右側にそれぞれ当接して重なり、固定連子体２の連子子３同士の隙間と可動連子体４の連子子５同士の隙間が合致して開口部３２が形成され、開口部３２から風や光を室内に取り込める。このときも、双方の連子子３，５の見込み面部３ｂと５ｂ、３ｃと５ｃが互いに組み合うため、連子子３，５のがたつきを抑制できる。なお図１（ｂ）は、無双連子を全開にした状態を示しているが、可動連子体４を全開位置の手前で停止することで、開口部３２の大きさを調節することができる。
【００１７】
図９は固定連子体２と可動連子体４の連子子３，５の他の実施形態を示しており、（ａ）は無双連子を閉じた状態、（ｂ）は無双連子を全開にした状態を示している。固定連子体２の連子子３は、左右の見込み面部３ｂ，３ｃがまっすぐな板状に形成されており、右側の見込み面部３ｂの根元の位置に突条３３が右側に突出して形成されている。可動連子体４の連子子５は、左右の見込み面部５ｂ，５ｃがまっすぐな板状になっている。本実施形態のものは、図９（ａ）に示すように、可動連子体４を閉鎖側に移動したときに、可動連子体４の連子子５の左側の見込み面部５ｃが、その端縁に突条３３が当接する状態で固定連子体２の連子子３の右側の見込み面部３ｂと組み合う。このように、突条３３が見込み面部５ｃの端縁に当たっていることで、雨風や光が室内に漏れるのを確実に防止できる。
【００１８】
可動連子体４は、アルミ等の板３４に図１０中に実線３５で示すような切れ目を入れ、図中の点線３６で見込み方向に折り曲げることで、溝形の連子子５を等間隔で形成することもできる。固定連子体２も同様に形成できる。このように形成した固定連子体２と可動連子体４を、図１１に示すように、双方の連子子３，５の見込み面部３ｂ，３ｃ，５ｂ，５ｃが互い違いに重なる状態で前後に重ね、無双連子を構成できる。
【００１９】
本発明は以上に述べた実施形態に限定されない。連子子３，５は横方向に配置することもでき、その場合は可動連子体４を上下方向にスライド可能に設ける。固定連子体２と可動連子体４の連子子３，５は、見込み方向の一方側と他方側がそれぞれ開放した溝形であればよいが、少なくとも可動連子体４を閉鎖位置に移動したときに、双方の連子子３，５の見込み面部３ｂ，３ｃ，５ｂ，５ｃが互いに組み合うようになっているのが好ましい。そのために見込み面部３ｂ，３ｃ，５ｂ，５ｃの形状は、所定の形に曲がった形状（例えば所定の方向に湾曲して膨らんだ形状、略Ｓ字形に湾曲した形状）や、一方の見込み面部に突部を設け、他方の見込み面部にその突部と係合する凹部を設けたものなどとすることができる。補助材２１を用いて連子子３，３，…を框１５，１６に一括して固定する構造に関しては、連子窓における連子子の框への固定に限らず、対向する框間に光や風の量を調整する調整部材を複数配置したルーバーや格子等の開口部装置に広く用いることができる。対向して配置した框１５，１６と、框１５，１６間に架設した複数の調整部材３，３，…と、両框１５，１６の長手方向に沿って配置した補助材２１と、補助材２１を框１５，１６に固定する固定ネジ２５とを備え、調整部材３は、長手方向の両端部に切欠き２２を有し、補助材２１は、長手方向に間隔をおいて切欠き２４を有し、調整部材３，３，…を両端部の切欠き２２を補助材２１の切欠き２４に引っ掛けて框１５，１６間に配置し、補助材２１を固定ネジ２５で框１５，１６に固定することで調整部材３，３，…を框１５，１６に固定することができるので、加工や部品付けを極力少なくでき、組立てが簡単になる。なお、調整部材の材質や形態は任意であり、例えば中空状やパネル状のものであってもよい。本発明の無双連子体は、雨戸に限らず、手摺やフェンス、スクリーン等にも適用できる。
【符号の説明】
【００２０】
１  雨戸（開口部装置）
２  固定連子体
３  固定連子体の連子子（調整部材）
３ａ  見付け面部、３ｂ，３ｃ  見込み面部
４  可動連子体
５  可動連子体の連子子
５ａ  見付け面部、５ｂ，５ｃ  見込み面部
１５  上框（框）
１６  下框（框）
２１  補助材
２２  連子子の切欠き
２４  補助材の切欠き
２５  固定ネジ
【図１】
2011111801.tif 000003
【図２】
2011111801.tif 000004
【図３】
2011111801.tif 000005
【図４】
2011111801.tif 000006
【図５】
2011111801.tif 000007
【図６】
2011111801.tif 000008
【図７】
2011111801.tif 000009
【図８−１】
2011111801.tif 000010
【図８−２】
2011111801.tif 000011
【図９】
2011111801.tif 000012
【図１０】
2011111801.tif 000013
【図１１】
2011111801.tif 000014